(57)【特許請求の範囲】
【請求項１】
カートリッジを挿入可能な開口部を有しその側面にガイド溝が形成されたホルダと、
前記ホルダを回動可能に支持するシャーシと、
カートリッジが排出された状態において前記ガイド溝の内面に当接し前記ホルダに挿入されるカートリッジに係合する押し出し部を有し、前記ホルダの側面に形成されたガイド溝に沿うよう配設されカートリッジの挿入方向に移動可能なイジェクトロッドと、
前記ホルダと前記イジェクトロッドの間でカートリッジの排出方向に付勢するイジェクトバネを有し、
イジェクトロッドには、
前記シャーシに対し前記ホルダの開口部を開いた状態でカートリッジが挿入された時に、ホルダの前記側面に形成された傾斜面を有するロック片に係合してカートリッジの挿入方向の側面で作成される平面と離間方向に弾性変形してホルダの前記ロック片の傾斜面を乗り越えてカートリッジの挿入終端で前記ロック片に係合してカートリッジを前記ホルダ内に収納させる、先端に傾斜面を有するロック爪と、
前記シャーシに対し前記ホルダの開口部が閉じられる方向に回動時には、前記シャーシに設けられたロック解除爪に係合して弾性変形してロック解除爪の側方を通過し、カートリッジ排出時には、前記シャーシに対し前記ホルダの開口部が閉じられた状態から回動し開くと、前記ロック解除爪に係合して前記ロック片と前記ロック爪との前記係合を解除するロック解除片と
を設け、前記イジェクトロッドを前記イジェクトバネの付勢力でカートリッジを挿入方向と反対方向へ押し出す
カートリッジイジェクト装置。
【発明の詳細な説明】
【０００１】
【発明の属する技術分野】
本発明は携帯用ディスク装置などに使用されるカートリッジイジェクト装置に関するものである。
【０００２】
【従来の技術】
光ディスク媒体を光ピックアップで読み取って再生する携帯用ディスク装置としては、カートリッジに６４ｍｍの光ディスク媒体を内蔵したミニディスク（大きさは７２ｍｍ×６８ｍｍ×５ｍｍ）に記録された音楽を手軽にアウトドアに持ち出して聴けるように、軽量小型化された携帯用ＭＤプレーヤーが一般に普及している。
【０００３】
携帯用ＭＤプレーヤーでは、外装ケースの上蓋を開くとカートリッジホルダーのカートリッジ挿入口が現れ、カートリッジホルダーにカートリッジを挿入すると、この挿入の操作に連動してカートリッジのシャッタが開放される。
このようにカートリッジをカートリッジホルダーにセットして前記の上蓋を閉じると、カートリッジに収容されている光ディスクが、ドライブ装置に結合され、シャッタが開放されたカートリッジの開口から光ヘッドが光ディスクにアクセスできる状態になる。
【０００４】
カートリッジの交換の際には、上蓋を開くことによって、それまでカートリッジホルダーにセットされていたカートリッジがイジェクト可能な状態に飛び出すように、従来ではカートリッジイジェクト装置が設けられている。
特開昭６２−５８４５１号に記載された従来のカートリッジイジェクト装置は、図８〜図１３に示すように構成されている。
【０００５】
１は一般にＭＤと呼ばれているカートリッジ、２はカートリッジ１を収納、保持するホルダで、その側面にはガイド溝２ｂがあり、イジェクトロッド３を保持しつつカートリッジ１の挿入方向である矢印Ａ方向とカートリッジ１の排出方向である矢印Ｂ方向に移動可能に保持する構造である。
４はイジェクトバネで、その引掛部４ａはホルダ２の引掛リブ２ａに、そして、もう一方の引掛部４ｂはイジェクトロッド３の引掛リブ３ａに組み立て係合され、イジェクトロッド３を常に矢印Ｂ方向へ力を付勢している。
【０００６】
５はロック爪で、バネ性を有する材質で作られている。その後部には穴５Ｃを有し、固定ビス１４を貫通させホルダ２の穴２ｃに締め付けることでホルダ２の側面に固定される。
８はシャーシで、後部に有した穴８ａに段付きビス９ａを貫通させ、ホルダの穴２ｄに段付きビス９ａを締め付けることで、ホルダ２はシャーシ８の穴８ａを中心に回動可能な状態で支持される。同様に図示は省略しているが、反対側も段ビス９ｂをシャーシ８に締め付けることで回動可能な状態で支持される。この２点の支持により、ホルダ２は矢印Ｃ方向へ開いたり、反対に矢印Ｄ方向へ閉じたりすることができる。
【０００７】
１１はカートリッジ１内の光ディスク（図示は省略）の情報を読み取る光ピックアップ、１２はカートリッジ１内の光ディスクを回転させるスピンドルモータで、シャーシ８に固定されている。
またシャーシ８の側面には解除爪６が、ビス１０をシャーシ８の穴８ｂを貫通させ解除爪６の穴６ａに締め付けることにより固定されている。解除爪６の材質もバネ性を有したもので作られている。７はホルダ２の上部に設けられた外装蓋で、１３はシャーシ８の下部に設けられた外装ケースである。
【０００８】
このように構成された従来例について、以下その動作を説明する。
図１１（ａ）はホルダ２が開いた状態でカートリッジ１をホルダ２に挿入し始めの位置を示しており、イジェクトロッド３はイジェクトバネ４の付勢力で矢印Ｂ方向へ力を受けているため挿入位置に近い場所に位置している。そして、イジェクトロッド３の押し出し部３ｃにカートリッジ１の先端が当接する。
【０００９】
次にさらにカートリッジ１を矢印Ａ方向へ押し続けると、図１１（ｂ）に示すようにイジェクトロッド３の押し出し部３ｃを押すことになるので、イジェクトロッド３は奥へ移動するが、イジェクトロッド３のロック片３ｂがロック爪５の引掛部５ａの斜面に乗り上げて押すので、前記引掛部５ａを矢印Ｅ方向へ弾性変形させて回転させる。
【００１０】
そしてさらにカートリッジ１を押し込むと、図１２（ａ）に示すようにイジェクトロッド３のロック片３ｂはロック爪５の引掛部５ａの斜面を乗り越えると、ロック爪５の持っているバネ性により元の状態に戻されて、イジェクトロッド３のロック片３ｂとロック爪５の引掛部５ａが係合される。この状態を詳しく図示しているのが図８である。カートリッジ１はこの状態でホルダ２に保持される。
【００１１】
次に、外装蓋７とホルダ２を、シャーシ８の穴８ａを中心に矢印Ｄ方向へ閉めると、図１２（ｂ）に示すようにロック爪５の解除片５ｂが解除爪６の引掛部６ｄを押すが、解除爪６の先端部６ｂがシャーシ８の固定片８ｃに当たるため、解除爪６は穴６ａを中心に矢印Ｅ方向へ回転する。このときロック爪５の引掛部５ａとイジェクトロッド３のロック片は係合されたままである。
【００１２】
そして、さらにホルダ２を矢印Ｄの方向へ閉めると、図１３（ａ）に示すようにロック爪５の解除片５ｂが解除爪６の引掛部６ｄの下に位置するため、解除爪６は自ら持っているバネ性により元の状態に戻る。
この図１３（ａ）の状態は、カートリッジ１の中の光ディスクがスピンドルモータ１２の上に乗って光ピックアップ１１が前記光ディスクの情報を読み取れる演奏可能状態である。
【００１３】
次に、カートリッジ１を取り出す時は、ホルダ２をシャーシ８の穴８ａを中心に矢印Ｃ方向へ回動させる。ホルダ２の回動とともにイジェクトロッド３も回動するが、ロック爪５の解除片５ｂが解除爪６の引掛部６ｄに当たる。
さらにホルダ２を矢印Ｃ方向へ回動すると、図１３（ｂ）に示すように解除爪６は凸部６ｃがシャーシ８の側面部８ｄに当たるため回転できないが、ロック爪５の解除片５ｂが解除爪６の引掛部６ｄに当たった状態で同図に示すように変形する。すると、ロック爪５の引掛部５ａとイジェクトロッド３のロック片３ｂとの相対位置がずれて、この部分の係合が外れる。
【００１４】
イジェクトロッド３はイジェクトバネ４がカートリッジ１の排出方向、すなわち矢印Ｂ方向へ付勢されているので、前記係合が外れた時点で、イジェクトロッド３の押し出し部３ｃがカートリッジ１を矢印Ｂ方向へ押し出し、カートリッジ１を排出させる。排出後の状態は図１１（ａ）と同じである。
【００１５】
【発明が解決しようとする課題】
このようなカートリッジイジェクト装置においては、ホルダ２の回動角度により各係合部のロックおよび解除を定めなくてはならないので、ロック爪５、解除爪６という部品おのおのに寸法精度が必要で、さらに、ビス等の締結部品を使用するため、組み立て後のロック爪５と解除爪６との相対位置の寸法精度の管理が必要になり、生産性を著しく下げているのが現状である。
【００１６】
本発明は、ロック爪、解除爪を必要としない、簡単な構成で、組み立て後の寸法精度も確保できるカートリッジイジェクト装置を提供することを目的とする。
【００１７】
【課題を解決するための手段】
この課題を解決する本発明のカートリッジイジェクト装置は、ホルダにロック片を有し、イジェクトロッドに有したロック爪がカートリッジの挿入方向の側面で作成される平面と垂直な方向に回動できる形状と、シャーシに設けられたロック解除爪と前記イジェクトロッドに設けられたロック解除片がカートリッジの挿入方向の側面で作成される平面と平行な面方向で変形できる形状を有することを特徴とする。
【００１８】
この本発明によると、ロック爪、解除爪が行っていた機能をイジェクトロッドのみで行わせることができ、これら部品を廃止できコストダウンが実現できる。さらに最小の部品構成であるため、組み立てバラツキがなくなり製品の精度を非常に高めることできる。
【００１９】
【発明の実施の形態】
本発明のカートリッジイジェクト装置は、カートリッジを挿入可能な開口部を有しその側面にガイド溝が形成されたホルダと、前記ホルダを回動可能に支持するシャーシと、カートリッジが排出された状態において前記ガイド溝の内面に当接し前記ホルダに挿入されるカートリッジに係合する押し出し部を有し、前記ホルダの側面に形成されたガイド溝に沿うよう配設されカートリッジの挿入方向に移動可能なイジェクトロッドと、前記ホルダと前記イジェクトロッドの間でカートリッジの排出方向に付勢するイジェクトバネを有し、イジェクトロッドには、前記シャーシに対し前記ホルダの開口部を開いた状態でカートリッジが挿入された時に、ホルダの前記側面に形成された傾斜面を有するロック片に係合してカートリッジの挿入方向の側面で作成される平面と離間方向に弾性変形してホルダの前記ロック片の傾斜面を乗り越えてカートリッジの挿入終端で前記ロック片に係合してカートリッジを前記ホルダ内に収納させる、先端に傾斜面を有するロック爪と、前記シャーシに対し前記ホルダの開口部が閉じられる方向に回動時には、前記シャーシに設けられたロック解除爪に係合して弾性変形してロック解除爪の側方を通過し、カートリッジ排出時には、前記シャーシに対し前記ホルダの開口部が閉じられた状態から回動し開くと、前記ロック解除爪に係合して前記ロック片と前記ロック爪との前記係合を解除するロック解除片とを設け、前記イジェクトロッドを前記イジェクトバネの付勢力でカートリッジを挿入方向と反対方向へ押し出すように構成したことを特徴とする。
【００２０】
以下、本発明の実施の形態を図１〜図７に基づいて説明する。
図１は本発明の実施の形態におけるカートリッジイジェクト装置を示す。
なお、従来例と同じ部品については同一番号を付けてその説明を省く。
図１において、２０はホルダで、同部品の引掛リブ２０ａ、穴２０ｄは従来例のホルダ２の引掛リブ２ａ、穴２ｄと形状、機能は全く同じである。また、同部品の２０ｂはロック片、２０ｃはガイド溝である。
【００２１】
２１はイジェクトロッドで、その材質はバネ性を有している。同部品の引掛リブ２１ａにはイジェクトバネ４の引掛部４ｂが引っかけられる。また、２１ｂはロック解除片、２１ｃは押し出し部でカートリッジ１と当接する部分、２１ｄはロック爪である。
２２はシャーシで、同部品の２２ａは従来例のシャーシ８の穴８ａと形状、機能は全く同じである。また、２２ｂはロック解除爪である。
【００２２】
このように構成されたカートリッジイジェクト装置について、以下その動作を図２〜図７を用いて説明する。
まず、図２（ａ）はホルダ２０がシャーシ２２に対し開いた状態で、ホルダ２０内にカートリッジ１が矢印Ａ方向に挿入された時の側面図を示し、図２（ｂ）は、図２（ａ）の状態でホルダ２０の上部から見た上面図である。この状態は従来例の図１１（ａ）で示したものと同じで、イジェクトロッド２１はイジェクトバネ４の付勢力で矢印Ｂ方向に付勢されている。その停止位置はホルダ２０のガイド溝２０ｃの垂直な面２０ｅとイジェクトロッド２１の押し出し部２１ｃとの当接で決められている。
【００２３】
次に、カートリッジ１を矢印Ａ方向に押し込むと、イジェクトロッド２１はホルダ２０のガイド溝２０ｃに沿って奥へ移動する。すると、イジェクトロッド２１のロック爪２１ｄがホルダ２０のロック片２０ｂに当接する。この状態の時を、図３（ａ）に側面図、図３（ｂ）にホルダ２０の上部から見た上面図で示す。イジェクトロッド２１のロック爪２１ｄは、ホルダ２０の三角形状をしたロック片２０ｂの斜面で押されて、矢印Ｆ方向へ回動する。
【００２４】
そして、カートリッジ１をさらに矢印Ａ方向へ押し込んだ時を図４（ａ）と図４（ｂ）に示す。図４（ａ）は側面図、図４（ｂ）はホルダ２０の上部から見た上面図を示す。カートリッジ１を奥まで挿入すると、イジェクトロッド２１がホルダ２０のガイド溝２０ｃに沿ってさらに移動してイジェクトロッド２１のロック爪２１ｄは、ホルダ２０のロック片２０ｂの傾斜部を乗り越えるので、ロック爪２１ｄは元の状態に戻り、ロック片２０ｂにロック爪２１ｄが係合する。イジェクトロッド２１はイジェクトバネ４により矢印Ｂ方向へ付勢されているが、前記構成により、ホルダ２０とイジェクトロッド２１とは係合されているため、カートリッジ１は指を離しても矢印Ｂ方向に排出されることなく、カートリッジ１はホルダ２０内に収納される。
【００２５】
次に、ホルダ２０をシャーシ２２の穴２２ａを中心に矢印Ｄ方向へ回動させる。図５（ａ）は前面より見た断面図で、ホルダ２０を矢印Ｄ方向へ回動させると、イジェクトロッド２１のロック解除片２１ｂがシャーシ２２のロック解除爪２２ｂに近づく。さらにホルダ２０を矢印Ｄ方向に回動させると図５（ｂ）に示すように前記ロック解除爪２２ｂとイジェクトロッド２１のロック解除片２１ｂが当たり、前記ロック解除片２１ｂが弾性変形する。
【００２６】
そして、さらにホルダ２０を矢印Ｄ方向へ回動させると前記ロック解除片２１ｂは、シャーシ２２のロック解除爪２２ｂの下に入る。すると、ロック解除片２１ｂは自分自身が持つバネ性により、前記弾性変形した状態から変形する前の形状に戻る。この時の状態を図６に示す。図６（ａ）は側面図、図６（ｂ）はホルダ２０の上部から見た上面図を示す。この状態は従来例の図１３（ａ）と同様、カートリッジ１の演奏可能位置である。
【００２７】
次に、カートリッジ１を取り出す時は、ホルダ２０をシャーシ２２の穴２２ａを中心に矢印Ｃ方向へ回動させる。ホルダ２０の回動とともにイジェクトロッド２１も回動するが、イジェクトロッド２１のロック解除片２１ｂがシャーシ２２のロック解除爪２２ｂの下面に当接する。この時の状態を図７に示す。図７（ａ）は側面図、図７（ｂ）はホルダ２０の上部から見た上面図を示す。
【００２８】
イジェクトロッド２１のロック解除片２１ｂは同図においてシャーシ２２のロック解除爪２２ｂに当たり弾性変形する。すると、ホルダ２０のロック片２０ｂとイジェクトロッド２１のロック爪２１ｄとの相対位置がずれてこの部分の係合が外れる。イジェクトロッド２１はイジェクトバネ４によってカートリッジ１の排出方向すなわち矢印Ｂ方向へ付勢されているので、前記係合が外れた時点で、イジェクトロッド２１の押し出し部２１ｃがカートリッジ１を矢印Ｂ方向へ押し出し、カートリッジ１を排出させる。この排出後の状態は図２（ａ）と同じである。
【００２９】
以上のように、この実施の形態によれば、従来例で使用していたロック爪、解除爪が行っていた機能をイジェクトロッド２１のみで行わせることができ、これら部品を廃止できコストダウンが実現できる。さらに最小の部品構成であるため、組み立てバラツキがなくなり、製品の精度を非常に高めることができる。
さらに、従来例の構成では、図１１（ｂ）に示すように、カートリッジ１をホルダ２に挿入し、ロック爪５が変形すると、解除片５ｂと解除爪６の引掛部６ｄとの距離が小さいので、ホルダ２の開き角度Ｓを小さくできないが、この実施の形態では、図３に示すように、シャーシ２２に対しホルダ２０の開口部を開いた状態でカートリッジが挿入された時に、ホルダ２０の側面に形成されたロック片２０ｂに係合してカートリッジの挿入方向の側面で作成される平面と離間方向に弾性変形してホルダ２０のロック片２０ｂを乗り越えてカートリッジの挿入終端でロック片２０ｂに係合するので、ロック爪２１ｄおよびロック解除片２１ｂとシャーシ２２のロック解除爪２２ｂとは平面的に距離があるため、ホルダ２０の開き角度Ｓを小さくでき、よりコンパクトな製品が実現できるというメリットもある。
【００３０】
以上のように本発明のカートリッジイジェクト装置によれば、カートリッジを挿入可能な開口部を有しその側面にガイド溝が形成されたホルダと、前記ホルダを回動可能に支持するシャーシと、カートリッジが排出された状態において前記ガイド溝の内面に当接し前記ホルダに挿入されるカートリッジに係合する押し出し部を有し、前記ホルダの側面に形成されたガイド溝に沿うよう配設されカートリッジの挿入方向に移動可能なイジェクトロッドと、前記ホルダと前記イジェクトロッドの間でカートリッジの排出方向に付勢するイジェクトバネを有し、イジェクトロッドには、前記シャーシに対し前記ホルダの開口部を開いた状態でカートリッジが挿入された時に、ホルダの前記側面に形成された傾斜面を有するロック片に係合してカートリッジの挿入方向の側面で作成される平面と離間方向に弾性変形してホルダの前記ロック片の傾斜面を乗り越えてカートリッジの挿入終端で前記ロック片に係合してカートリッジを前記ホルダ内に収納させる、先端に傾斜面を有するロック爪と、前記シャーシに対し前記ホルダの開口部が閉じられる方向に回動時には、前記シャーシに設けられたロック解除爪に係合して弾性変形してロック解除爪の側方を通過し、カートリッジ排出時には、前記シャーシに対し前記ホルダの開口部が閉じられた状態から回動し開くと、前記ロック解除爪に係合して前記ロック片と前記ロック爪との前記係合を解除するロック解除片とを設けたため、ロック爪、解除爪が行っていた機能をイジェクトロッドのみで行わせることができ、これら部品を廃止できコストダウンが実現できる。また、最小の部品構成であるため、組み立てバラツキがなくなり製品の精度を非常に高めることできるという有利な効果が得られる。
【００３１】
さらに、イジェクトロッドには、ホルダの側面に形成されたロック片に係合してカートリッジの挿入方向の側面で作成される平面と離間方向に弾性変形してホルダの前記ロック片を乗り越えてカートリッジの挿入終端で前記ロック片に係合するロック爪を設けたため、ホルダの開き角度を小さくしても正確なイジェクト動作を期待することができ、よりコンパクトな製品が実現できるというメリットもある。
【図面の簡単な説明】
【図１】本発明のカートリッジイジェクト装置の斜視図
【図２】同実施の形態のホルダ２０がシャーシ２２に対し開いた状態でカートリッジ１が挿入された時の側面図と上面図
【図３】同実施の形態のイジェクトロッド２１のロック爪２１ｄがホルダ２０のロック片２０ｂに当接した状態の側面図と上面図
【図４】カートリッジ１を図３に示す状態からさらに押し込んだ時の側面図と上面図
【図５】ロック爪２１ｄがロック解除爪２２ｂを通過する前と通過中の状態を前面より見た断面図
【図６】ロック解除片２１ｂが復帰した状態の側面図と上面図
【図７】カートリッジ１を取り出す時でイジェクトロッド２１のロック解除片２１ｂがシャーシ２２のロック解除爪２２ｂに当接した状態の側面図と上面図
【図８】従来例の側面図
【図９】従来例の分解斜視図
【図１０】従来例の分解斜視図
【図１１】従来例の動作説明の側面図
【図１２】従来例の動作説明の側面図
【図１３】従来例の動作説明の側面図
【符号の説明】
９ａ，９ｂ  段付きビス
２０  ホルダ
２０ｂ  ホルダのロック片
２１    イジェクトロッド
２１ｂ  イジェクトロッドのロック解除片
２１ｄ  イジェクトロッドのロック爪
２２    シャーシ
２２ｂ  シャーシのロック解除爪
【図１】
0004063995.tif 000002
【図２】
0004063995.tif 000003
【図３】
0004063995.tif 000004
【図４】
0004063995.tif 000005
【図５】
0004063995.tif 000006
【図６】
0004063995.tif 000007
【図７】
0004063995.tif 000008
【図８】
0004063995.tif 000009
【図９】
0004063995.tif 000010
【図１０】
0004063995.tif 000011
【図１１】
0004063995.tif 000012
【図１２】
0004063995.tif 000013
【図１３】
0004063995.tif 000014